(57)【要約】【課題】紙原稿、メディア文書又は蓄積文書にＱＲコードの位置を指定することにより、ＱＲコードを作成すると共に、自動的に画像データとＱＲコードを合成してファイルの作成、及び作成したファイルの送信、印刷を行なうことが可能な画像入出力装置を提供する。【解決手段】デジタルカラー複合機１は、転写紙などの媒体に画像を形成する画像形成手段である印刷装置７の上部に、原稿から画像を読み取る画像読取手段である画像読取装置８を配設した構成とされている。また、画像読取装置８の装置外面には、オペレータに対する表示とオペレータからの機能設定等の各種の入力を許容する操作パネルＰが設けられている。さらに、操作パネルＰの下部には、記憶媒体に記憶されているプログラムコードや画像データ等を読み取ったり、または記憶媒体に対してプログラムコードや画像データ等を書き込む装置である外部メディア入出力装置９が、記憶媒体の挿入を許容する挿入口を外部に露出させて設けられている。【選択図】図１
2007129586.tif 000002
【特許請求の範囲】
【請求項１】
画像データを入力する入力手段と、該入力手段により入力された画像データを記憶する記憶手段と、該記憶手段に記憶した画像データを出力する出力手段と、を備え、予め個人情報と各個人情報に対応したユーザーコードを登録しておくことにより前記ユーザーコード使用して装置の使用者を管理可能とした画像入出力装置において、
前記ユーザーコードによりログインするログイン手段と、コンピューター読み取り用の符号パターンの貼り付け場所を指定する位置指定手段と、前記ログイン手段によりログインした個人情報に基づいて前記符号パターンを作成するパターン作成手段と、該パターン作成手段により作成した符号パターンと前記入力手段により入力された画像データを合成する合成手段と、を備えたことを特徴とする画像入出力装置。
【請求項２】
前記ログイン手段により予め登録してある前記ユーザーコードにてログインし、前記入力手段により管理対象の画像データを読み込み、該画像データ中に前記位置指定手段により前記符号パターンを貼り付ける領域を指定することにより、前記ログインしている個人情報に基づいて前記符号パターンを前記パターン作成手段により作成し、該符号パターンと前記管理対象の画像データとを前記合成手段により合成してファイルの作成、及び作成したファイルの送信、印刷を行なうことを特徴とする請求項１に記載の画像入出力装置。
【請求項３】
前記画像データは、スキャナにより読み込まれたスキャンデータ、外部から送付されたデータ、又は記憶媒体に記録されたファイルデータであることを特徴とする請求項１又は２に記載の画像入出力装置。
【請求項４】
予め用意された少なくとも１つ以上のフォームの中からフォームを選択するフォーム選択手段を更に備え、
前記ログイン手段により予め登録してある前記ユーザーコードにてログインし、前記フォーム選択手段により選択したフォーム中に前記符号パターンを貼り付ける領域を指定することにより、前記ログインしている個人情報に基づいて前記符号パターンを前記パターン作成手段により作成し、該符号パターンと前記管理対象の画像データとを前記合成手段により合成してファイルの作成、及び作成したファイルの送信、印刷を行なうことを特徴とする請求項１、２又は３に記載の画像入出力装置。
【請求項５】
前記フォームに画像データを差し込む画像データ差込手段を更に備え、
前記ログイン手段により予め登録してある前記ユーザーコードにてログインし、前記フォーム選択手段によりフォームを選択後、前記画像データ差込手段により該選択されたフォームに画像データを差し込むことを特徴とする請求項４に記載の画像入出力装置。
【請求項６】
メディアに記録された画像データを読み込むメディア画像読取手段を更に備え、
前記ログイン手段により予め登録してある前記ユーザーコードにてログインし、前記メディア画像読取手段により管理対象の画像データを読み込み、前記位置指定手段により該画像データ中に前記符号パターンを貼り付ける領域を指定することにより、前記ログインしている個人情報に基づいて前記符号パターンを前記パターン作成手段により作成し、該符号パターンと前記管理対象の画像データとを前記合成手段により合成してファイルの作成、及び作成したファイルの送信、印刷を行なうことを特徴とする請求項１、２又は３に記載の画像入出力装置。
【請求項７】
予め画像データを読み込んで記憶手段にファイルとして蓄積するファイル蓄積手段を更に備え、
前記ログイン手段により予め登録してある前記ユーザーコードにてログインし、前記ファイル蓄積手段に蓄積しておいたファイルを読み込み、該ファイルの画像データ中に前記位置指定手段により前記符号パターンを貼り付ける領域を指定することにより、前記ログインしている個人情報に基づいて前記符号パターンを前記パターン作成手段により作成し、該符号パターンと前記管理対象の画像データとを前記合成手段により合成してファイルの作成、及び作成したファイルの送信、印刷を行なうことを特徴とする請求項１、２又は３に記載の画像入出力装置。
【請求項８】
画像データを入力する入力手段と、該入力手段により入力された画像データを記憶する記憶手段と、該記憶手段に記憶した画像データを出力する出力手段と、を備え、予め個人情報と各個人情報に対応したユーザーコードを登録しておくことにより前記ユーザーコード使用して装置の使用者を管理可能とした画像入出力装置において、
前記ユーザーコードによりログインするログイン手段と、コンピューター読み取り用の符号パターンを備えたフォームを選択するフォーム選択手段と、該フォーム選択手段により選択されたフォームと前記入力手段により入力された画像データを合成する合成手段と、を備え、
前記ログイン手段により予め登録してある前記ユーザーコードにてログインし、前記フォーム選択手段によりフォームを選択することにより、該フォームと前記管理対象の画像データとを前記合成手段により合成してファイルの作成、及び作成したファイルの送信、印刷を行なうことを特徴とする画像入出力装置。
【発明の詳細な説明】
【技術分野】
【０００１】
本発明は、画像入出力装置に関し、さらに詳しくは、ログインされたユーザーコードに基づいて装置の使用者を管理可能とした画像入出力装置に関するものである。
【背景技術】
【０００２】
従来から紙原稿をスキャンして画像情報を取り込み電子文書にする方法は、一般的に行われている。また、ＰＣにて、氏名、電話番号、Ｅメールアドレス等を入力してＱＲコードを作成し、ファイル化する方法も行われている。
特許文献１には、ドキュメントの出力目的に応じて、画像データまたはその元となったデータを選択的に出力することのできる画像処理装置において、配布資料をスキャナによりスキャンして配布資料の画像を読み込み、読み込んだ画像データから２次元バーコードのＱＲコードを検索し、検索したＱＲコードを解析してインデックスデータを抽出する。そして、抽出したインデックスデータに基づいてデータベースを検索することで配付資料に対応する画像データを検索して取得し、画像データを印刷する技術について開示されている。
【特許文献１】特開２００４−２２７２４７公報
【発明の開示】
【発明が解決しようとする課題】
【０００３】
特許文献１に開示されている従来技術は、読み取る画像の中にＱＲコードがあり、そのＱＲコードを読み込み、読み込んだデータによりＤＢから貼り付け画像を取得し印刷する技術であるが、現状はＰＣ上にて、配布したいチラシ等をスキャンして画像情報を取り込み電子文書にする。これとは別に、担当者の氏名、電話番号、Ｅメールアドレス等を入力してＱＲコードを作成してＱＲコードデータを作成する。次に、画像データの編集を行えるエディターにて、基となるチラシ原稿データにＱＲコードデータを張り合わせて、ＱＲコード付画像データを作成し、印刷しなければならず操作が煩わしいといった問題がある。
本発明は、かかる課題に鑑み、紙原稿、メディア文書又は蓄積文書にＱＲコードの位置を指定することにより、ＱＲコードを作成すると共に、自動的に画像データとＱＲコードを合成してファイルの作成、及び作成したファイルの送信、印刷を行なうことが可能な画像入出力装置を提供することを目的とする。
【課題を解決するための手段】
【０００４】
本発明はかかる課題を解決するために、請求項１は、画像データを入力する入力手段と、該入力手段により入力された画像データを記憶する記憶手段と、該記憶手段に記憶した画像データを出力する出力手段と、を備え、予め個人情報と各個人情報に対応したユーザーコードを登録しておくことにより前記ユーザーコード使用して装置の使用者を管理可能とした画像入出力装置において、前記ユーザーコードによりログインするログイン手段と、コンピューター読み取り用の符号パターンの貼り付け場所を指定する位置指定手段と、前記ログイン手段によりログインした個人情報に基づいて前記符号パターンを作成するパターン作成手段と、該パターン作成手段により作成した符号パターンと前記入力手段により入力された画像データを合成する合成手段と、を備えたことを特徴とする。
本発明の画像入出力装置は、入力手段、記憶手段及び出力手段を備えた画像入出力装置に、更に、ログイン手段と、コンピューター読み取り用の符号パターンの貼り付け場所を指定する位置指定手段と、ログインした個人情報に基づいて符号パターンを作成するパターン作成手段と、符号パターンと画像データを合成する合成手段と、を備えたものである。
請求項２は、前記ログイン手段により予め登録してある前記ユーザーコードにてログインし、前記入力手段により管理対象の画像データを読み込み、該画像データ中に前記位置指定手段により前記符号パターンを貼り付ける領域を指定することにより、前記ログインしている個人情報に基づいて前記符号パターンを前記パターン作成手段により作成し、該符号パターンと前記管理対象の画像データとを前記合成手段により合成してファイルの作成、及び作成したファイルの送信、印刷を行なうことを特徴とする。
本発明は、画像入出力装置にてログイン画面より、予め登録してあるユーザーコードにてログインする。ログインするとメニュー画面が表示され、紙原稿を選択する。次に原稿読み取りを選択して配布したい原稿をスキャナにセットし、原稿の読み取りを行う。画像の読み込みが終了すると表示された画面に符号パターンの貼り付ける場所をクリックして指定する。処理を実行すると、ログインしている個人情報から符号パターンを作成して読み込んだ画像と合成しファイルを作成する。そして、蓄積または、印刷ボタンを押してスタートキーを押し、蓄積または印刷を行う。
【０００５】
請求項３は、前記画像データはスキャナにより読み込まれたスキャンデータ、外部から送付されたデータ、又は記憶媒体に記録されたファイルデータであることを特徴とする。
符号パターンと合成する画像データは、スキャナにより読み込まれたスキャンデータ、外部から送付されたデータ、又は記憶媒体に記録されたファイルデータの何れでも構わない。
請求項４は、予め用意された少なくとも１つ以上のフォームの中からフォームを選択するフォーム選択手段を更に備え、前記ログイン手段により予め登録してある前記ユーザーコードにてログインし、前記フォーム選択手段により選択したフォーム中に前記符号パターンを貼り付ける領域を指定することにより、前記ログインしている個人情報に基づいて前記符号パターンを前記パターン作成手段により作成し、該符号パターンと前記管理対象の画像データとを前記合成手段により合成してファイルの作成、及び作成したファイルの送信、印刷を行なうことを特徴とする。
本発明は予め用意された少なくとも１つ以上のフォームの中からフォームを選択するフォーム選択手段を更に備えたものである。本発明は符号パターンの貼り付ける場所を選択する必要がなく、所定のフォームから選択して使用することができる。
請求項５は、前記フォームに画像データを差し込む画像データ差込手段を更に備え、前記ログイン手段により予め登録してある前記ユーザーコードにてログインし、前記フォーム選択手段によりフォームを選択後、前記画像データ差込手段により該選択されたフォームに画像データを差し込むことを特徴とする。
本発明は、選択されたフォームに画像データを差し込むようにしたものである。
【０００６】
請求項６は、メディアに記録された画像データを読み込むメディア画像読取手段を更に備え、前記ログイン手段により予め登録してある前記ユーザーコードにてログインし、前記メディア画像読取手段により管理対象の画像データを読み込み、前記位置指定手段により該画像データ中に前記符号パターンを貼り付ける領域を指定することにより、前記ログインしている個人情報に基づいて前記符号パターンを前記パターン作成手段により作成し、該符号パターンと前記管理対象の画像データとを前記合成手段により合成してファイルの作成、及び作成したファイルの送信、印刷を行なうことを特徴とする。
本発明は、メディアに記録された画像データを読み込み、その画像データと符号パターンを合成するものである。
請求項７は、予め画像データを読み込んで記憶手段にファイルとして蓄積するファイル蓄積手段を更に備え、前記ログイン手段により予め登録してある前記ユーザーコードにてログインし、前記ファイル蓄積手段に蓄積しておいたファイルを読み込み、該ファイルの画像データ中に前記位置指定手段により前記符号パターンを貼り付ける領域を指定することにより、前記ログインしている個人情報に基づいて前記符号パターンを前記パターン作成手段により作成し、該符号パターンと前記管理対象の画像データとを前記合成手段により合成してファイルの作成、及び作成したファイルの送信、印刷を行なうことを特徴とする。
本発明は画像データを読み込んで記憶手段にファイルとして蓄積するファイル蓄積手段を更に備えたものである。そしてファイルの画像データに符号パターンを貼り付ける場所を指定し、ログインしている個人情報に基づいて符号パターンをして、画像データと符号パターンを合成するものである。
【０００７】
請求項８は、画像データを入力する入力手段と、該入力手段により入力された画像データを記憶する記憶手段と、該記憶手段に記憶した画像データを出力する出力手段と、を備え、予め個人情報と各個人情報に対応したユーザーコードを登録しておくことにより前記ユーザーコード使用して装置の使用者を管理可能とした画像入出力装置において、前記ユーザーコードによりログインするログイン手段と、コンピューター読み取り用の符号パターンを備えたフォームを選択するフォーム選択手段と、該フォーム選択手段により選択されたフォームと前記入力手段により入力された画像データを合成する合成手段と、を備え、前記ログイン手段により予め登録してある前記ユーザーコードにてログインし、前記フォーム選択手段によりフォームを選択することにより、該フォームと前記管理対象の画像データとを前記合成手段により合成してファイルの作成、及び作成したファイルの送信、印刷を行なうことを特徴とする。
本発明の画像入出力装置は、ログイン画面よりゲストのコードにてログインする。ログインするとメニュー画面が表示されるので、紙原稿を選択して、続いてフォーム選択によりフォームを選択して、配布したい原稿の雛型を予め用意されているＱＲコード付きのフォームの中から選択する。ここで、フォームに差し込みたい原稿をスキャナにセットし、原稿の読み取りを行う。画像の読み込みが終了するとフォームに差し込まれた画像を表示する。そして、蓄積または印刷ボタンを押して蓄積または印刷を行う。
【発明の効果】
【０００８】
本発明によれば、ユーザーコードによりログインするログイン手段と、コンピューター読み取り用の符号パターンの貼り付け場所を指定する位置指定手段と、ログイン手段によりログインした個人情報に基づいて符号パターンを作成するパターン作成手段と、パターン作成手段により作成した符号パターンと入力手段により入力された画像データを合成する合成手段と、を備えたので、元画像の読み込みと符号パターンの差込位置を指定するだけで、元画像と符号パターンとの合成ファイルの作成が可能となり、作業時間の短縮を行うことができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施の形態に係る画像処理装置であるデジタルカラー複合機を概略的に示す外観斜視図である。この実施形態では、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Multi Function Peripheral）と称されるデジタルカラー複合機に適用した例を示す。デジタルカラー複合機１は、転写紙などの媒体に画像を形成する画像形成手段である印刷装置７の上部に、原稿から画像を読み取る画像読取手段である画像読取装置８を配設した構成とされている。また、画像読取装置８の装置外面には、オペレータに対する表示とオペレータからの機能設定等の各種の入力を許容する操作パネルＰが設けられている。さらに、操作パネルＰの下部には、記憶媒体に記憶されているプログラムコードや画像データ等を読み取ったり、または記憶媒体に対してプログラムコードや画像データ等を書き込む装置である外部メディア入出力装置９が、記憶媒体の挿入を許容する挿入口を外部に露出させて設けられている。
【００１０】
図２は本発明のデジタルカラー複合機のブロック図である。同じ構成要素には図１と同じ参照番号を付して説明する。デジタルカラー複合機１は、画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。まず画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。印刷制御ユニット１１は、画像処理制御ユニット１０の制御に従って印刷装置７に対して画像データを含む印刷指示を出力し、印刷装置７に転写紙などの媒体に画像を形成して出力させる。画像読取制御ユニット１２は、画像処理制御ユニット１０の制御により画像読取装置８を駆動し、原稿の表面に対するランプ照射の反射光をミラー及びレンズにより受光素子（例えば、ＣＣＤ）に集光して読み取り、Ａ／Ｄ変換してＲＧＢ各８ｂｉｔのデジタル画像データを生成する。  このような画像処理制御ユニット１０は、メインプロセッサであるＣＰＵ１３と、画像読取装置８から読み込んだ画像データを印刷装置７による作像に供すべく一旦格納しておくメモリデバイス（例えば、ＳＤＲＡＭ等）１４と、制御プログラム等を記憶したＲＯＭ１５と、システムログ／システム設定／ログ情報等を記録しておく電源ＯＦＦ時にもデータの保持が可能なＮＶＲＡＭ１６と、をバス接続したマイクロコンピュータ構成とされている。また、画像処理制御ユニット１０には、多量の画像データの蓄積やジョブ履歴等の記憶装置となるＨＤＤ１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、デジタルカラー複合機１は、遠隔のファクシミリと交信することができる。
【００１１】
加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。また、操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。したがって、画像処理ユニット部Ａは、従来の画像処理装置が備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。このような構成により、画像処理ユニット部Ａは、外部（サーバコンピュータ、クライアントコンピュータ、ファクシミリ等）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。また、画像処理ユニット部Ａは、ＳＤＲＡＭ１４やＨＤＤ１７に記憶されている印刷データ、原稿読取りデータ、これらを出力用に処理した出力画像データ、および、それらを圧縮した圧縮データを外部に転送することができる。
【００１２】
次に、操作パネルＰを備える情報処理ユニット部Ｂについて説明する。情報処理ユニット部Ｂは、一般にパーソナルコンピュータといわれるような情報処理装置に用いられる汎用のＯＳによって制御されるマイクロコンピュータ構成とされている。情報処理ユニット部Ｂは、メインプロセッサであるＣＰＵ４１を有しており、このＣＰＵ４１には、ＣＰＵ４１の作業用領域となるＲＡＭや起動プログラムなどを記憶した読出し専用メモリであるＲＯＭで構成されるメモリユニット３２と、ＯＳやアプリケーションプログラムを記憶するＨＤＤ等の記憶装置３４に対するデータの入出力を制御する記憶装置制御ユニット３５とが、バス接続されている。また、ＣＰＵ４１には、情報処理ユニット部ＢをＨＵＢ１９を介してＬＡＮ２に接続するためのＬＡＮ制御部３３が接続されている。このＬＡＮ制御部３３に割り当てられるネットワークアドレスであるＩＰアドレスは、前述した画像処理ユニット部ＡのＬＡＮ制御部１８に割り当てられるＩＰアドレスとは異なるものである。すなわち、本実施の形態のデジタルカラー複合機１には、２つのＩＰアドレスが割り当てられていることになる。つまり、画像処理ユニット部Ａと情報処理ユニット部ＢとはＬＡＮ２に接続されていることになり、画像処理ユニット部Ａと情報処理ユニット部Ｂとの間においてはデータ交換が可能な構成になっている。さらに、ＣＰＵ４１には、操作パネルＰを制御する表示制御ユニット３６及び操作入力制御ユニット３７が接続されている。
【００１３】
図３は操作パネルＰの構成を示す平面図である。図３に示すように、操作パネルＰは、例えばＬＣＤにより構成される表示装置３０と、操作入力装置３１とで構成されている。操作入力装置３１は、表示装置３０の表面に積層された超音波弾性波方式等のタッチパネル３１ａと、複数のキーを有するキーボード３１ｂとで構成されている。キーボード３１ｂには、画像読み取りの開始を宣言するためのスタートキー、数値入力を行うためのテンキー、読み取った画像データの送信先を設定する読取条件設定キー、クリアキー等が設けられている。すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置３１におけるオペレータによる機能設定や入力操作に応じた入力制御信号を、制御パネルＩ／Ｆ３８を介して受信する。加えて、ＣＰＵ４１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。なお、詳細は後述するが、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。上述したように記憶装置３４には、ＣＰＵ４１が実行するＯＳやアプリケーションプログラムが格納されている。この意味で、記憶装置３４は、アプリケーションプログラムを記憶する記憶媒体として機能する。このデジタルカラー複合機１では、ユーザが電源を投入するとＣＰＵ４１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。情報処理ユニット部ＢのＯＳは、情報処理装置と同様のＯＳ、すなわち汎用のＯＳ（例えば、Ｗｉｎｄｏｗｓ（登録商標）等）とされている。
【００１４】
図４は表示装置に表示されたログイン画面の図である。図５は予め登録してあるユーザーコードの一例を示す図である。図６は配布したい原稿の一例を示す図である。図７はメニュー画面の一例を示す図である。図８は処理設定の一例を示す図である。図９はＱＲコードを合成する場所を指示する図である。図１０はＱＲコードを合成する場所を指定している一例を示す図である。図１１は蓄積または印刷を選択指示する一例を示す図である。図１２はフォームの一例を示す図である。図１３はメディア画像の選択を指示する一例を示す図である。図１４は文書を選択指示する一例を示す図である。図１５〜図２０は本発明の処理を説明するフローチャートである。図１５〜図２０のフローチャートを参照して各実施形態について説明する。
第１の実施形態の画像処理装置は、画像入出力装置１にて、図４のログイン画面５０より、図５の予め登録してあるユーザーコード５１にてログインする（Ｓ１、２）。ログインすると図７に示すメニュー画面５３が表示されるので、「紙原稿」５４を選択する（Ｓ３）。次に図８の処理選択画面が表示されるので（Ｓ１５）、「原稿読み取り」５８を選択する（Ｓ１６）。そして図６の配布したい原稿５２を図１の原稿挿入部１０にセットし、図３の操作部Ｐで「スタート」キーを押し（Ｓ１７）原稿の読み取りを行う（Ｓ１８）。画像の読み込みが終了すると表示装置３０に図９の画像を表示する。ここで、ＱＲコードデータの貼り付ける場所を図１０のようにクリックして指定する（Ｓ１９、２０）。「スタート」キーを押して処理を実行すると、ログインしている個人情報からＱＲコードデータを作成して（Ｓ２１）、読み込んだ画像と合成し（Ｓ２３）ファイルを作成する（Ｓ２４）。そして、図１１により「蓄積」６１（Ｓ２５でＹ）または、「印刷」６２（Ｓ２５でＮ）ボタンを押してスタートキーを押し、蓄積処理（Ｓ２６）または印刷処理（Ｓ３２）を行う。
【００１５】
第２の実施形態の画像処理装置は、画像入出力装置１にて、図４のログイン画面５０より、図５の予め登録してあるユーザーコード５１にてログインする（Ｓ１、２）。ログインすると図７に示すメニュー画面５３が表示されるので、「紙原稿」５４を選択する（Ｓ３）。次に図８の処理選択画面が表示されるので（Ｓ１５）、「フォーム選択」を選択する（Ｓ３１）。そして図１２の画面から配布したい原稿の雛型を予め用意されているフォームの中から選択する（Ｓ３３）。「ＱＲ指定」を選択すると（Ｓ３５）選択したフォームが表示装置３０に表示される。ここで、ＱＲコードデータの貼り付ける場所を図１０のようにクリックして指定する（Ｓ１９、２０）。「スタート」キーを押して処理を実行すると、ログインしている個人情報からＱＲコードデータを作成して（Ｓ２１）、読み込んだ画像と合成し（Ｓ２３）ファイルを作成する（Ｓ２４）。そして、図１１により「蓄積」６１（Ｓ２５でＹ）または、「印刷」６２（Ｓ２５でＮ）ボタンを押してスタートキーを押し、蓄積処理（Ｓ２６）または印刷処理（Ｓ３２）を行う。
第３の実施形態の画像処理装置は、画像入出力装置１にて、図４のログイン画面５０より、図５の予め登録してあるユーザーコード５１にてログインする（Ｓ１、２）。ログインすると図７に示すメニュー画面５３が表示されるので、「メディア文書」５５を選択する（Ｓ４）。他のＰＣにて作成した原稿をメディアに書き込んでおき、メディアに対応したスロット９に差し込む。表示されるファイル（Ｓ５）の中から元原稿にするファイルを選択する（Ｓ６）。そしてＱＲ指定６３を押下すると（Ｓ１１）、ＱＲコードデータの貼り付ける場所を図１０のようにクリックして指定する（Ｓ１９、２０）。「スタート」キーを押して処理を実行すると、ログインしている個人情報からＱＲコードデータを作成して（Ｓ２１）、読み込んだ画像と合成し（Ｓ２３）ファイルを作成する（Ｓ２４）。そして、図１１により「蓄積」６１（Ｓ２５でＹ）または、「印刷」６２（Ｓ２５でＮ）ボタンを押してスタートキーを押し、蓄積処理（Ｓ２６）または印刷処理（Ｓ３２）を行う。
【００１６】
第４の実施形態の画像処理装置は、画像入出力装置１にて、図４のログイン画面５０より、図５の予め登録してあるユーザーコード５１にてログインする（Ｓ１、２）。ログインすると図７に示すメニュー画面５３が表示されるので、「紙原稿」５４を選択する（Ｓ３）。次に図８の処理選択画面が表示されるので（Ｓ１５）、次に図８の画面が表示されるので、「文書蓄積」５９を選択する（Ｓ２７）。これは読み取り原稿を本体のＨＤＤ１７に蓄積するモードである。図６の原稿５２を原稿挿入部１０の部分にセットし、操作部のスタートキーを押し（Ｓ２８）原稿の読み取りを行う（Ｓ２９）。画像の読み込みが終了すると（Ｓ３０）、原稿をファイルに変換してＨＤＤ１７に蓄積し、メニュー画面を表示する。登録しておきたい原稿を上記作業を繰り返し蓄積しておく。
読み込みが終了したら「蓄積文書読み取り終了」を押して読み取りを終了する。すると図７の画面が表示されるので、「蓄積文書」５６を選択し（Ｓ８）、蓄積してある原稿の一覧を表示する（Ｓ９）。図１４で使用したい原稿を選択すると画面に画像を表示する。ここで、ＱＲコードデータの貼り付ける場所を図１０のようにクリックして指定する（Ｓ１９、２０）。「スタート」キーを押して処理を実行すると、ログインしている個人情報からＱＲコードデータを作成して（Ｓ２１）、読み込んだ画像と合成し（Ｓ２３）ファイルを作成する（Ｓ２４）。そして、図１１により「蓄積」６１（Ｓ２５でＹ）または、「印刷」６２（Ｓ２５でＮ）ボタンを押してスタートキーを押し、蓄積処理（Ｓ２６）または印刷処理（Ｓ３２）を行う。
【００１７】
第５の実施形態の画像処理装置は、画像入出力装置１にて、図４のログイン画面５０より、図５の予め登録してあるユーザーコード５１にてログインする（Ｓ１、２）。ログインすると図７に示すメニュー画面５３が表示されるので、「紙原稿」５４を選択する（Ｓ３）。次に図８の処理選択画面が表示されるので（Ｓ１５）、次に図８の画面が表示されるので、「フォーム選択」６０を選択する（Ｓ３１）。配布したい原稿の雛型を予め用意されているフォームの中から選択する（Ｓ３３、３４）。「読み取り」６４を選択すると（Ｓ３６）図８の画面が表示される。ここで、フォームに差し込みたい原稿を原稿挿入部１０の部分にセットし、操作部の「スタート」キーを押し（Ｓ１７）原稿の読み取りを行う（Ｓ１８）。ここで、ＱＲコードデータの貼り付ける場所を図１０のようにクリックして指定する（Ｓ１９、２０）。「スタート」キーを押して処理を実行すると、ログインしている個人情報からＱＲコードデータを作成して（Ｓ２１）、読み込んだ画像と合成し（Ｓ２３）ファイルを作成する（Ｓ２４）。そして、図１１により「蓄積」６１（Ｓ２５でＹ）または、「印刷」６２（Ｓ２５でＮ）ボタンを押してスタートキーを押し、蓄積処理（Ｓ２６）または印刷処理（Ｓ３２）を行う。
第６の実施形態の画像処理装置は、画像入出力装置１にて、図４のログイン画面５０より、図５の予め登録してあるユーザーコード５１にてログインする（Ｓ４０、４１）。ログインすると図７に示すメニュー画面５３が表示されるので、「紙原稿」５４を選択する（Ｓ４２）。次に図８の処理選択画面が表示されるので（Ｓ５１）、次に図８の画面が表示されるので、「フォーム選択」６０を選択する（Ｓ６３）。配布したい原稿の雛型を予め用意されているフォームの中から選択する（Ｓ６４、６５）。「読み取り」６４を選択すると（Ｓ６７）図８の画面が表示される。ここで、フォームに差し込みたい原稿を原稿挿入部１０の部分にセットし、操作部の「スタート」キーを押し（Ｓ５３）原稿の読み取りを行う（Ｓ５４）。そして読み込んだ画像と合成しファイルを作成する（Ｓ５５）。そして、図１１により「蓄積」６１（Ｓ５６でＹ）または、「印刷」６２（Ｓ５６でＮ）ボタンを押してスタートキーを押し、蓄積処理（Ｓ５７）または印刷処理（Ｓ６２）を行う。
【００１８】
以上の通り本発明によれば、ユーザーコードによりログインするログイン手段と、コンピューター読み取り用のＱＲコードの貼り付け場所を指定する位置指定手段と、ログイン手段によりログインした個人情報に基づいてＱＲコードを作成するパターン作成手段と、パターン作成手段により作成したＱＲコードと入力手段により入力された画像データを合成する合成手段と、を備えたので、元画像の読み込みとＱＲコードの差込位置を指定するだけで、元画像とＱＲコードとの合成ファイルの作成が可能となり、作業時間の短縮を行うことができる。
また、ログイン手段により予め登録してあるユーザーコードにてログインし、入力手段により管理対象の画像データを読み込み、画像データ中に位置指定手段によりＱＲコードの貼り付ける場所を指定するので、元画像とＱＲコードとの合成ファイルの作成が可能となり、作業時間の短縮を行うことができる。
また、画像データはスキャナにより読み込まれたスキャンデータ、外部から送付されたデータ、又は記憶媒体に記録されたファイルデータであるので、元画像データの種類にかかわらずＱＲコードを合成することができる。
また、予め用意された少なくとも１つ以上のフォームの中からフォームを選択するフォーム選択手段を更に備えたので、原稿の雛型となるフォームを読み込みとＱＲコードの差込位置を指定するだけで、元画像とのＱＲコードの合成ファイルの作成が可能となり、作業時間の短縮を行うことができる。
また、フォームに画像データを差し込む画像データ差込手段を更に備えので、選択したフォームに基づいて画像データを容易に差し込むことができる。
また、メディアに記録された画像データを読み込むメディア画像読取手段を更に備えたので、外部で作成したメディア画像データを読み込むことができ、バリエーションを拡げることができる。
また、予め画像データを読み込んで記憶手段にファイルとして蓄積するファイル蓄積手段を更に備えたので、ファイルの中から画像データを選択することができ、画像を読み込む手間を減らすことができる。
また、ユーザーコードによりログインするログイン手段と、コンピューター読み取り用のＱＲコードを備えたフォームを選択するフォーム選択手段と、フォーム選択手段により選択されたフォームと入力手段により入力された画像データを合成する合成手段と、を備えたので、ＱＲコードを生成する手間が省け、作業時間の短縮を行うことができる。
【図面の簡単な説明】
【００１９】
【図１】本発明の実施の形態に係る画像処理装置であるデジタルカラー複合機を概略的に示す外観斜視図である。
【図２】本発明のデジタルカラー複合機のブロック図である。
【図３】操作パネルＰの構成を示す平面図である。
【図４】表示装置に表示されたログイン画面の図である。
【図５】予め登録してあるユーザーコードの一例を示す図である。
【図６】配布したい原稿の一例を示す図である。
【図７】メニュー画面の一例を示す図である。
【図８】処理設定の一例を示す図である
【図９】ＱＲコードを合成する場所を指示する図である。
【図１０】ＱＲコードを合成する場所を指定している一例を示す図である。
【図１１】蓄積または印刷を選択指示する一例を示す図である。
【図１２】フォームの一例を示す図である。
【図１３】メディア画像の選択を指示する一例を示す図である。
【図１４】文書を選択指示する一例を示す図である。
【図１５】本発明の処理を説明するフローチャート（その１）である。
【図１６】本発明の処理を説明するフローチャート（その２）である。
【図１７】本発明の処理を説明するフローチャート（その３）である。
【図１８】本発明の処理を説明するフローチャート（その４）である。
【図１９】本発明の処理を説明するフローチャート（その５）である。
【図２０】本発明の処理を説明するフローチャート（その６）である。
【符号の説明】
【００２０】
１  デジタルカラー複合機、７  印刷装置、８  画像読取装置、９  外部メディア入出力装置、Ｐ  操作パネル
【図１】
2007129586.tif 000003
【図２】
2007129586.tif 000004
【図３】
2007129586.tif 000005
【図４】
2007129586.tif 000006
【図５】
2007129586.tif 000007
【図６】
2007129586.tif 000008
【図７】
2007129586.tif 000009
【図８】
2007129586.tif 000010
【図９】
2007129586.tif 000011
【図１０】
2007129586.tif 000012
【図１１】
2007129586.tif 000013
【図１２】
2007129586.tif 000014
【図１３】
2007129586.tif 000015
【図１４】
2007129586.tif 000016
【図１５】
2007129586.tif 000017
【図１６】
2007129586.tif 000018
【図１７】
2007129586.tif 000019
【図１８】
2007129586.tif 000020
【図１９】
2007129586.tif 000021
【図２０】
2007129586.tif 000022